(57)【要約】    【課題】      再生される動画像の画像サイズが、携帯端末の表示デバイスの表示サイズよりも大きい場合でも、細かい部分や文字等の視認性を向上させること。    【解決手段】  分離部１０３は、ファイルフォーマットに従い、多重化されたデータから、画像と音声とを分離する。画像復号部１０８は、圧縮された画像信号を復号する。メモリ１０９は、復号された画像データを格納する。表示領域決定部１１０は、復号された画像サイズと表示サイズの情報から、復号された画像全体の内のどの部分を切り出し、表示するかを決定する。メモリ制御部１１１は、復号画像が格納されているメモリ１０９に対して、表示する領域のアドレスを算出し、読み出しのための処理を行う。表示用バッファ１１２は、メモリ制御部１１１の制御の下で読み出された表示用の画像データを格納する。モニタ１１４は、データを表示する。  【選択図】      図１
2006145618.tif 000002
【特許請求の範囲】
【請求項１】
符号化された動画像信号を復号し、復号した動画像を得る復号手段と、
前記復号した動画像から、所定の領域の動画像を切り出す画像抽出手段と、
前記画像抽出手段にて切り出された動画像を表示する表示手段と、
を具備することを特徴とする通信端末装置。
【請求項２】
前記画像抽出手段にて切り出される前記動画像に対してのみ符号化ノイズを抑制するためのフィルタ処理を行うフィルタ処理手段を具備し、
前記表示手段は、前記フィルタ処理手段にてフィルタ処理された前記動画像を表示することを特徴とする請求項１記載の通信端末装置。
【請求項３】
符号化された動画像信号を復号し、復号した動画像を得る工程と、
前記復号した動画像から、所定の領域の動画像を切り出す工程と、
切り出された動画像を表示する工程と、
を具備することを特徴とする画像表示方法。
【請求項４】
切り出される前記動画像に対してのみ符号化ノイズを抑制するためのフィルタ処理を行う工程を具備し、
前記フィルタ処理された前記動画像を表示することを特徴とする請求項３記載の画像表示方法。
【請求項５】
符号化された動画像信号を復号し、復号した動画像を得る工程と、
前記復号した動画像から、所定の領域の動画像を切り出す工程と、
切り出された動画像を表示する工程と、
をコンピュータに実行させることを特徴とするプログラム。
【発明の詳細な説明】
【技術分野】
【０００１】
本発明は、通信端末装置及び画像表示方法に関する。
【背景技術】
【０００２】
近年、動画像信号処理を行うデバイスの著しい性能向上に伴い、画素数が増え、再生できる動画像の解像度も大きくなってきている。ＩＳＯ／ＩＥＣ  １４４９６−２（通称ＭＰＥＧ−４）では、主にモバイル用途の画像サイズとして、ＱＣＩＦ(Quarter Common Intermediate Format)と呼ばれる横１７６画素、縦１４４画素の画像サイズを規定していた。しかしながら、最近では、ＶＧＡ（横６４０画素、縦４８０画素）にもおよぶ再生能力をもつものもある。
【０００３】
携帯端末では、表示デバイスの大きさに限度があり、表示デバイスが表示できる画像サイズよりも大きいサイズの動画像を再生する場合もあり、このような場合、再生された動画像は、表示できる画像サイズまで縮小して表示するのが一般的である。また、観察者の視点に注目し、表示されている画像の一部を拡大して表示する技術が知られている（例えば、特許文献１）。
【０００４】
また、符号化された動画像信号は、低ビットレートになると符号化特有のノイズを発生する。画像符号化は、入力された画像を複数のブロックに分割し、このブロックを符号化単位として処理を行う。低ビットレートで符号化された動画像信号は、このブロックの境界が、モザイクのようなノイズとして見えるという現象がある。これをブロックノイズという。また、同様にこのブロック内に、人物と背景の境界を含む場合、この境界部分に、もやもやとしたノイズが見える。これをモスキートノイズという。これらのノイズを抑制するための方法として、様々な処理方法があるが、前述のＩＳＯ／ＩＥＣ  １４４９６−２のＡｎｎｅｘには、ブロックノイズ除去フィルタ及びモスキートノイズ除去フィルタを用いたポスト処理が開示されている。
【特許文献１】特許第２７４３３８１号公報
【発明の開示】
【発明が解決しようとする課題】
【０００５】
しかしながら、従来の装置は、前述のように、再生された動画像の画像サイズが、表示できるサイズよりも大きく、縮小されて表示された場合、細かい模様やテロップなどの文字が見えにくくなり、視認性が落ちるという問題がある。また、特許文献１のように表示された画面の一部を拡大して表示するだけでは、元の画像がもつ解像度はそのままで、単に拡大するだけであるから、大きくは見えても細かい部分での視認性は向上しないという問題がある。また、従来の装置は、前述のポスト処理は画素単位の処理であるため、処理量が多いという問題がある。
【０００６】
本発明は、かかる点に鑑みてなされたものであり、再生される動画像の画像サイズが、携帯端末の表示デバイスの表示サイズよりも大きい場合でも、細かい部分や文字等の視認性を向上させることができる通信端末装置及び画像表示方法を提供することを目的とする。
【課題を解決するための手段】
【０００７】
本発明の通信端末装置は、符号化された動画像信号を復号し、復号した動画像を得る復号手段と、前記復号した動画像から、所定の領域の動画像を切り出す画像抽出手段と、前記画像抽出手段にて切り出された動画像を表示する表示手段と、を具備する構成を採る。
【０００８】
本発明の画像表示方法は、符号化された動画像信号を復号し、復号した動画像を得る工程と、前記復号した動画像から、所定の領域の動画像を切り出す工程と、切り出された動画像を表示する工程と、を具備するようにした。
【０００９】
本発明のプログラムは、符号化された動画像信号を復号し、復号した動画像を得る工程と、前記復号した動画像から、所定の領域の動画像を切り出す工程と、切り出された動画像を表示する工程と、をコンピュータに実行させるようにした。
【発明の効果】
【００１０】
本発明によれば、再生される動画像の画像サイズが、携帯端末の表示デバイスの表示サイズよりも大きい場合でも、細かい部分や文字等の視認性を向上させることができる。
【発明を実施するための最良の形態】
【００１１】
以下に、本発明の実施の形態について、図面を参照して詳細に説明する。
【００１２】
（実施の形態１）
図１は、本発明の実施の形態１に係る通信端末装置１００の構成を示すブロック図である。
【００１３】
図１において、１０１は、画像と音声とが多重化されたデータが格納された蓄積媒体（記録媒体）であり、この蓄積媒体１０１に格納されているファイルは、例えば、国際標準規格のＩＳＯ／ＩＥＣ  １４４９６  Ｐａｒｔ−１（Ｓｙｓｔｅｍｓ）で規定されたＭＰ４等のファイルフォーマットで記録されたファイルである。又、１０２はバッファ、１０３は、蓄積媒体１０１内に格納されているファイルフォーマットに従い、多重化されたデータから、画像と音声とを分離するための分離部である。
【００１４】
又、１０４は圧縮された音声信号を復号する音声復号部、１０５は、復号された音声データを格納するバッファ、１０６はＤ／Ａ変換部、１０７はスピーカである。
【００１５】
又、１０８は、圧縮された画像信号を復号する画像復号部であり、この画像復号部１０８は、更に復号された画像データの縦および横の画素数情報を、後述する表示領域決定部１１０へ出力する。１０９は、復号された画像データを格納するメモリである。
【００１６】
１１０は、表示領域決定部であり、この表示領域決定部１１０は、復号された画像サイズと表示サイズの情報から、復号された画像全体の内のどの部分を切り出し、表示するかを決定する。なお、表示位置は、固定的に割り当てても良いし、ユーザーが入力した情報に基づき決定するように構成してもよい。又、分離された画像データ内には、現在復号中のフレームと１つ前のフレームとの間における動き情報も含まれているのが一般的であるため、これらの情報を用いて、動きがあった位置を検出して、その位置を表示する等、最適な表示位置を決定するように構成してもよい。
【００１７】
１１１はメモリ制御部であり、このメモリ制御部１１１は、復号画像が格納されているメモリ１０９に対して、表示する領域のアドレスを算出し、読み出しのための処理を行う。１１２は、メモリ制御部１１１の制御の下で読み出された表示用の画像データを格納する表示用バッファ、１１３は、表示用バッファ１１２内に格納されたデータをアナログデータに変換するＤ／Ａ変換部、１１４は、Ｄ／Ａ変換部１１３で変換されたデータを表示する表示手段であるモニタである。なお、本発明の画像抽出手段は、表示領域決定部１１０とメモリ制御部１１１とで構成されている。
【００１８】
このように構成した通信端末装置１００において、蓄積媒体１０１から読み出されたデータは、一旦バッファ１０２に格納され、逐次、分離部１０３に読み込まれる。分離部１０３では、前述のファイルフォーマットの規定に従い、画像と音声とのデータを分離する。音声復号部１０４で復号された音声データは、一旦バッファ１０５へ格納され、バッファ１０５に格納された音声データは、Ｄ／Ａ変換部１０６で復号され、スピーカ１０７を介して出力される。
【００１９】
一方、分離部１０３で分離された画像データは、画像復号部１０８にて復号され、メモリ１０９に格納される。図２は、復号画像と表示領域との関係を説明する図であり、図２の２０１が、メモリ１０９に格納された復号画像である。また、画像復号部１０８は、復号された画像データの縦および横の画素数情報を、表示領域決定部１１０へ出力する。表示領域決定部１１０は、復号された画像サイズ及び表示サイズから、復号された画像全体の内どの部分を表示するかを決定する。例えば、表示領域決定部１１０は、復号された輝度信号の画像サイズにおいて、左上を原点として、表示領域の左上の座標を出力する。復号画像サイズが、横３５２画素、縦２８８画素であり、かつ、モニタ１１４の表示サイズが、横２４０画素、縦１７６画素である場合を例に説明すると、この場合、復号画像サイズの内、中央部分を切り出して表示する場合、復号画像の輝度信号の左上の画素を原点とすると、切り出し位置のアドレスは、（（３５２−２４０）÷２＝５６、（２８８−１７６）÷２＝５６）から、（５６、５６）となる。
【００２０】
次に、メモリ制御部１１１では、復号画像が格納されているメモリ１０９上において、前述の切り出し位置のアドレス（５６、５６）から、表示領域に相当するデータが格納されているアドレスを算出し、読み出しのための処理を行う。読み出されたデータは、表示用バッファ１１２に格納され、このデータは、Ｄ／Ａ変換部１１３でアナログデータに変換されてモニタ１１４に表示される。図２の２０２が、メモリ１０９から切り出され、表示用バッファ１１２に格納され、モニタ１１４に表示される表示領域を示している。
【００２１】
このように、本実施の形態１によれば、全体画像の内、モニタの表示サイズに相当する画像データのみが、拡大・縮小されることなく、モニタ上に表示されるから、画像の細かい部分に対する視認性を向上させることができる。
【００２２】
（実施の形態２）
図３は、本発明の実施の形態２に係る通信端末装置３００の構成を示すブロック図である。なお、図３において、図１と同じ部分については、同じ番号を付して、その説明を省略する。
【００２３】
図３において、３１１はメモリ制御部、３１２はポスト処理部である。
【００２４】
メモリ制御部３１１は、実施の形態１のメモリ制御部１１１の機能に加え、更に、ポスト処理の処理対象となる部分を特定し、その位置をポスト処理部３１２に出力する。一般的に、ポスト処理は、画像符号化ブロック単位で処理するため、切り出し位置が符号化ブロック単位の境界と一致しない場合のために、切り出し位置アドレスとは別にポスト処理対象位置アドレスを算出する必要がある。ポスト処理部３１２は、処理対象位置アドレスに従い、ポスト処理対象となる符号化ブロックのみに処理を適用する。
【００２５】
したがって、実施の形態２では、画像復号部１０８で復号された画像に対し、メモリ制御部３１１からのポスト処理対象位置アドレスに基づいて、所定の領域にフィルタ処理を施しメモリ１０９に格納する。更に、表示領域決定部１１０からの切り出し位置のアドレスに基づいて、メモリ制御部３１１が、メモリ１０９から表示領域を切り出して、表示用バッファ１１２に格納するようになっている。
【００２６】
このように、本実施の形態２によれば、上記実施の形態１の効果に加えて、復号した画像のうち、表示対象となる部分だけにポスト処理を行うために、処理量が少なくなり、消費電力を低減することができる。
【産業上の利用可能性】
【００２７】
本発明は、例えば、携帯電話、ＰＤＡ等の通信端末装置に用いるのに好適である。
【図面の簡単な説明】
【００２８】
【図１】本発明の実施の形態１に係る通信端末装置の構成を示すブロック図
【図２】本発明の実施の形態１に係る復号画像と表示領域との関係を示す図
【図３】本発明の実施の形態２に係る通信端末装置の構成を示すブロック図
【符号の説明】
【００２９】
１０１  蓄積媒体
１０２、１０５  バッファ
１０３  分離部
１０４  音声復号部
１０６、１１３  Ｄ／Ａ変換部
１０７  スピーカ
１０８  画像復号部
１０９  メモリ
１１０  表示領域決定部
１１１  メモリ制御部
１１２  表示用バッファ
１１４  モニタ
３１１  メモリ制御部
３１２  ポスト処理部
【図１】
2006145618.tif 000003
【図２】
2006145618.tif 000004
【図３】
2006145618.tif 000005